【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
ワイヤレス通信システムにおける拡張物理ダウンリンク制御チャネル（ｅＰＤＣＣＨ）を提供するための方法であって、
ワイヤレス送信／受信ユニット（ＷＴＲＵ）で、ｅＰＤＣＣＨリソースのために構成された物理リソースブロック（ＰＲＢ）ペアにおいて利用可能なリソース要素（ＲＥｓ）の数に基づいて、前記ｅＰＤＣＣＨリソースを監視するためのアグリゲーションレベルのセットを決定するステップであり、利用可能なＲＥｓの前記数はサブフレームについて導出される、ステップと、
前記ＷＴＲＵで、前記ｅＰＤＣＣＨリソースのために構成されたＰＲＢペアの数に基づき、前記ｅＰＤＣＣＨリソースを監視するためのアグリゲーションレベルの前記セットのサブセットを導出するステップと、
前記ＷＴＲＵで、アグリゲーションレベルの前記サブセットを用いて前記サブフレームの前記ｅＰＤＣＣＨリソースを監視するステップと
を含む、方法。
【請求項２】
時分割複信（ＴＤＤ）またはダウンリンク巡回プレフィックス（ＣＰ）のうちの少なくとも１つについて、前記サブフレームは特定のスペシャルサブフレーム構成に関連付けられているスペシャルサブフレームではない、請求項１に記載の方法。
【請求項３】
前記特定のスペシャルサブフレーム構成は、スペシャルサブフレーム構成０またはスペシャル構成５のうちの少なくとも一方を含む、請求項２に記載の方法。
【請求項４】
利用可能なＲＥｓの前記数は参照信号のために用いられるＲＥを除く、請求項１に記載の方法。
【請求項５】
前記参照信号はＣＲＳ、ＣＳＩ−ＲＳ、またはＤＭ−ＲＳの少なくとも１つを含む、請求項４に記載の方法。
【請求項６】
前記アグリゲーションレベルは、利用可能なＲＥｓの前記数に基づき、｛２，４，８，１６｝または｛１，２，４，８｝のうちの１つを含む、請求項１に記載の方法。
【請求項７】
前記ｅＰＤＣＣＨリソースのために構成された前記ＰＲＢペアは、固定数の拡張リソース要素グループ（ｅＲＥＧｓ）および１つまたは複数の拡張制御チャネル要素（ｅＣＣＥｓ）を含み、１つまたは複数のｅＲＥＧｓは各ｅＣＣＥにマッピングされている、請求項１に記載の方法。
【請求項８】
ｅＣＣＥにマッピングされているｅＲＥＧｓの前記数は、巡回プレフィックス（ＣＰ）および前記サブフレームに基づく、請求項７に記載の方法。
【請求項９】
前記ＣＰが通常のＣＰを含み、前記サブフレームが通常サブフレームまたは３、４、または８のスペシャルサブフレーム構成に関連付けられているスペシャルサブフレームを含むときに、４つのｅＲＥＧｓがｅＣＣＥにマッピングされる、請求項８に記載の方法。
【請求項１０】
前記ＣＰが通常のＣＰを含み、前記サブフレームが、１、２、６、７、または９のスペシャルサブフレーム構成に関連付けられているスペシャルサブフレームを含むとき、または前記ＣＰが拡張ＣＰを含み、前記サブフレームが１、２、３、５、または６のスペシャルサブフレーム構成に関連付けられているスペシャルサブフレームを含むときに、８つのｅＲＥＧｓがｅＣＣＥにマッピングされる、請求項８に記載の方法。
【請求項１１】
ｅＣＣＥｓの数は、ｅＰＤＣＣＨのタイプ、前記サブフレーム、サブフレーム構成、前記ｅＰＤＣＣＨリソースに関連付けられたＰＲＢペアの数、前記ｅＰＤＣＣＨリソースに関連付けられたＰＲＢペアにおけるＲＥｓの数、または巡回プレフィックス（ＣＰ）の１つまたは複数に関連している、請求項７に記載の方法。
【請求項１２】
前記ＷＴＲＵで、前記ｅＰＤＣＣＨリソースを監視するように構成されていないサブフレーム上でＰＤＣＣＨリソースを監視するステップをさらに含む、請求項１に記載の方法。
【請求項１３】
監視されている前記ＰＤＣＣＨリソースは、共通探索空間を含む、請求項１２に記載の方法。
【請求項１４】
前記サブフレームの前記ｅＰＤＣＣＨリソースに対する候補は、ハッシュ関数に基づき選択され、前記ハッシュ関数は、それぞれのｅＰＤＣＣＨリソースについて異なる、請求項１に記載の方法。
【請求項１５】
ワイヤレス送信／受信ユニット（ＷＴＲＵ）であって、
受信機と、
プロセッサ実行可能命令を記憶するメモリと、
前記プロセッサ実行可能命令を実行して、
拡張物理ダウンリンク制御チャネル（ｅＰＤＣＣＨ）リソースのために構成された物理リソースブロック（ＰＲＢ）ペアにおいて利用可能なリソース要素（ＲＥｓ）の数に基づいて、ワイヤレス通信システムにおける前記ｅＰＤＣＣＨリソースを監視するためのアグリゲーションレベルのセットを導出し、利用可能なＲＥｓの前記数はサブフレームについて導出され、
前記ｅＰＤＣＣＨリソースのために構成されたＰＲＢペアの数に基づき、前記ｅＰＤＣＣＨリソースを監視するためのアグリゲーションレベルの前記セットのサブセットを導出し、
アグリゲーションレベルの前記サブセットを用いて前記サブフレームの前記ｅＰＤＣＣＨリソースを監視する
よう構成されたプロセッサと
を備えた、ＷＴＲＵ。
【請求項１６】
時分割複信（ＴＤＤ）またはダウンリンク巡回プレフィックス（ＣＰ）のうちの少なくとも１つについて、前記サブフレームは特定のスペシャルサブフレーム構成に関連付けられているスペシャルサブフレームではない、請求項１５に記載のＷＴＲＵ。
【請求項１７】
前記特定のスペシャルサブフレーム構成は、スペシャルサブフレーム構成０またはスペシャル構成５のうちの少なくとも一方を含む、請求項１６に記載のＷＴＲＵ。
【請求項１８】
利用可能なＲＥｓの前記数は参照信号のために用いられるＲＥを除く、請求項１５に記載のＷＴＲＵ。
【請求項１９】
前記参照信号はＣＲＳ、ＣＳＩ−ＲＳ、またはＤＭ−ＲＳの少なくとも１つを含む、請求項１８に記載のＷＴＲＵ。
【請求項２０】
前記アグリゲーションレベルは、利用可能なＲＥｓの前記数に基づき、｛２，４，８，１６｝または｛１，２，４，８｝を含む、請求項１５に記載のＷＴＲＵ。
【請求項２１】
前記ｅＰＤＣＣＨリソースのために構成された前記ＰＲＢペアは、固定数の拡張リソース要素グループ（ｅＲＥＧｓ）および１つまたは複数の拡張制御チャネル要素（ｅＣＣＥｓ）を含み、１つまたは複数のｅＲＥＧｓは各ｅＣＣＥにマッピングされている、請求項１５に記載のＷＴＲＵ。
【請求項２２】
ｅＣＣＥにマッピングされているｅＲＥＧｓの前記数は、巡回プレフィックス（ＣＰ）および前記サブフレームに基づく、請求項２１に記載のＷＴＲＵ。
【請求項２３】
前記ＣＰが通常のＣＰを含み、前記サブフレームが通常サブフレームまたは３、４、または８のスペシャルサブフレーム構成に関連付けられているスペシャルサブフレームを含むときに、４つのｅＲＥＧｓがｅＣＣＥにマッピングされる、請求項２２に記載のＷＴＲＵ。
【請求項２４】
前記ＣＰが通常のＣＰを含み、前記サブフレームが、１、２、６、７、または９のスペシャルサブフレーム構成に関連付けられているスペシャルサブフレームを含むとき、または前記ＣＰが拡張ＣＰを含み、前記サブフレームが１、２、３、５、または６のスペシャルサブフレーム構成に関連付けられているスペシャルサブフレームを含むときに、８つのｅＲＥＧｓがｅＣＣＥにマッピングされる、請求項２２に記載のＷＴＲＵ。
【請求項２５】
ｅＰＤＣＣＨに利用可能なｅＣＣＥｓの数は、ｅＰＤＣＣＨのタイプ、前記サブフレーム、サブフレーム構成、前記ｅＰＤＣＣＨリソースに関連付けられたＰＲＢペアの数、前記ｅＰＤＣＣＨリソースに関連付けられたＰＲＢにおけるＲＥｓの数、または巡回プレフィックス（ＣＰ）の１つまたは複数に関連している、請求項２１に記載のＷＴＲＵ。
【請求項２６】
前記サブフレームで監視される前記ｅＰＤＣＣＨリソースは、ＷＴＲＵ特有の探索空間を備える、請求項１５に記載のＷＴＲＵ。
【請求項２７】
前記プロセッサは、前記プロセッサ実行可能命令を実行して、前記ｅＰＤＣＣＨリソースを監視するように構成されていないサブフレーム上でＰＤＣＣＨリソースを監視するよう構成されている、請求項１５に記載のＷＴＲＵ。
【請求項２８】
監視されている前記ＰＤＣＣＨリソースは、共通探索空間を含む、請求項２７に記載のＷＴＲＵ。
【請求項２９】
前記サブフレームの前記ｅＰＤＣＣＨリソースに対する候補は、ハッシュ関数に基づき選択され、前記ハッシュ関数は、それぞれのｅＰＤＣＣＨリソースについて異なる、請求項１５に記載のＷＴＲＵ。